(57)【要約】【課題】  ボトルを横にして保管しても、内容物が漏れないボトルキャップを提供する。【解決手段】  ワインボトル（ボトル）２の口部に着脱自在に装着される固定部材３と、固定部材３に螺着されるキャップ部材４を備えたボトルキャップ１であって、固定部材３が、ワインボトル２の口部に弾性力により着脱自在に外嵌される円筒状部１１と、円筒状部１１の下端に下方へ突出するように形成された押さえ部１２と、円筒状部１１の外周面に形成された雄ネジ部１３を備え、キャップ部材４が、キャップ本体部２１と、キャップ本体部２１内に収容された弾性体２２と、キャップ本体部２１の内周面に形成されかつ固定部材３の雄ネジ部１３に螺合される雌ネジ部２３を備えた。【選択図】  図９
2019119490.tif 000002
【特許請求の範囲】
【請求項１】
ボトルの口部に着脱自在に装着される固定部材と、前記固定部材に螺着されるキャップ部材を備えたボトルキャップであって、
前記固定部材が、
断面形状がＣ字状に形成されかつ前記ボトルの口部に弾性力により着脱自在に外嵌される円筒状部と、
前記円筒状部の下端に下方へ突出するように形成された押さえ部と、
前記円筒状部の外周面に形成された雄ネジ部
を備え、
前記キャップ部材が、
キャップ本体部と、
前記キャップ本体部内に収容された弾性体と、
前記キャップ本体部の内周面に形成されかつ前記固定部材の雄ネジ部に螺合される雌ネジ部
を備えたことを特徴とするボトルキャップ。
【請求項２】
前記固定部材の円筒状部の内周面に固定用弾性シートを設けた請求項１に記載のボトルキャップ。
【請求項３】
前記キャップ部材の弾性体の下面に当て用弾性シートを設けた請求項１又は２に記載のボトルキャップ。
【請求項４】
前記キャップ部材の弾性体の下面を、下方へ突出する凸面に形成した請求項１から３のいずれかに記載のボトルキャップ。
【請求項５】
前記当て用弾性シートの下面を、下方へ突出する凸面に形成した請求項３に記載のボトルキャップ。
【請求項６】
前記固定部材の円筒状部の外周面に、周方向へ互いに間隔を開けて複数の雄ネジ部を形成した請求項１から５のいずれかに記載のボトルキャップ。
【請求項７】
前記キャップ部材のキャップ本体部の上部に、平面視形状が多角形状に形成された回転用多角形状部を突設した請求項１から６のいずれかに記載のボトルキャップ。
【請求項８】
前記固定部材の押さえ部の下端に、下方へ向かって外側に湾曲した反り部を設けた請求項１から７のいずれかに記載のボトルキャップ。
【発明の詳細な説明】
【技術分野】
【０００１】
本発明は、ワインボトル等のボトルの口部を密閉するためのボトルキャップに関するものである。
【背景技術】
【０００２】
従来のこの種の技術としては、ワインを飲み残した場合に、ワインボトルの口部を密閉するために前記口部内に押し込んで使用されるワインストッパー（例えば、非特許文献１参照。）等が知られている。
【先行技術文献】
【非特許文献】
【０００３】
【非特許文献１】“ワインストッパー(FJ-P1) | ニトリ公式通販  家具・インテリア・生活雑貨通販のニトリネット”，［online］，株式会社ニトリ，［平成２９（２０１７）年１０月３１日検索］，インターネット＜ＵＲＬ：https://www.nitori-net.jp/store/ja/ec/8926068?ptr=item＞
【発明の開示】
【発明が解決しようとする課題】
【０００４】
しかし、上記のようなワインストッパーにおいては、ワインボトルの口部内に押し込まれるだけであるので、ワインストッパーを装着したワインボトルを横にして冷蔵庫やワインセラーに入れた場合には、ワインが漏れるおそれがある。そのため、ワインストッパーを装着したワインボトルは、横にして保管できず、必ず立てて保管する必要があるという問題点がある。
【０００５】
本発明は、以上のような事情や問題点に鑑みてなされたものであり、ボトルを横にして保管しても、内容物が漏れないボトルキャップを提供することを目的とする。
【課題を解決するための手段】
【０００６】
上記目的を達成するための第１の発明は、
ボトルの口部に着脱自在に装着される固定部材と、前記固定部材に螺着されるキャップ部材を備えたボトルキャップであって、
前記固定部材が、
断面形状がＣ字状に形成されかつ前記ボトルの口部に弾性力により着脱自在に外嵌される円筒状部と、
前記円筒状部の下端に下方へ突出するように形成された押さえ部と、
前記円筒状部の外周面に形成された雄ネジ部
を備え、
前記キャップ部材が、
キャップ本体部と、
前記キャップ本体部内に収容された弾性体と、
前記キャップ本体部の内周面に形成されかつ前記固定部材の雄ネジ部に螺合される雌ネジ部
を備えたものである。
【０００７】
第２の発明は、前記固定部材の円筒状部の内周面に固定用弾性シートを設けたものである。
【０００８】
第３の発明は、前記キャップ部材の弾性体の下面に当て用弾性シートを設けたものである。
【０００９】
第４の発明は、前記キャップ部材の弾性体の下面を、下方へ突出する凸面に形成したものである。
【００１０】
第５の発明は、前記当て用弾性シートの下面を、下方へ突出する凸面に形成したものである。
【００１１】
第６の発明は、前記固定部材の円筒状部の外周面に、周方向へ互いに間隔を開けて複数の雄ネジ部を形成したものである。
【００１２】
第７の発明は、前記キャップ部材のキャップ本体部の上部に、平面視形状が多角形状に形成された回転用多角形状部を突設したものである。
【００１３】
第８の発明は、前記固定部材の押さえ部の下端に、下方へ向かって外側に湾曲した反り部を設けたものである。
【発明の効果】
【００１４】
第１の発明によれば、キャップ部材の締め付けによる少なくとも弾性体の圧接によってボトルの口部がより強固に密閉されるので、ボトルを横にして保管しても、内容物が漏れない。また、固定部材の押さえ部は円筒状部の下端に下方へ突出するように形成されているので、固定部材が下方へずれるのを防止するストッパーにもなっている。
【００１５】
第２の発明によれば、固定用弾性シートの弾性力に抗しながらキャップ部材を締め付けることになるので、キャップ部材がゆるむのを防止することができる。
【００１６】
第３の発明によれば、当て用弾性シートを介して弾性体がボトルの口部に圧接されるので、当て用弾性シートを適宜取り替えれば、より衛生的である。
【００１７】
第４の発明によれば、当て用弾性シートを設けた場合ではボトルの口部への当て用弾性シートの密着度をより高めることができると共に、当て用弾性シートを設けない場合でもボトルの口部への弾性体の密着度をより高めることができる。
【００１８】
第５の発明によれば、ボトルの口部への当て用弾性シートの密着度をより高めることができる。
【００１９】
第６の発明によれば、固定部材の円筒状部の外周面の全面に渡って雄ネジ部を形成しなくてもよいので、固定部材の構成をよりシンプルにすることができる。
【００２０】
第７の発明によれば、キャップ部材の回転操作をしやすい。
【００２１】
第８の発明によれば、固定部材の取り外しの際に反り部に指をかけやすいので、固定部材の取り外しをより簡単に行うことができる。
【図面の簡単な説明】
【００２２】
【図１】第１実施形態におけるボトルキャップの固定部材の正面図である。
【図２】図１の背面図である。
【図３】図１の拡大平面図である。
【図４】図１の拡大底面図である。
【図５】第１実施形態におけるボトルキャップのキャップ部材の正面図である。
【図６】図５の底面図である。
【図７】ワインボトルの口部に固定部材を装着した状態を示す説明図である。
【図８】図７の固定部材付近の要部拡大横断面図である。
【図９】図７の固定部材にキャップ部材を螺着してワインボトルの口部を密閉した状態を示す説明図である。
【図１０】第２実施形態におけるボトルキャップの固定部材の縦断面図である。
【図１１】第３実施形態におけるボトルキャップのキャップ部材の正面図である。
【発明を実施するための形態】
【００２３】
以下、本発明の実施形態を、図面に基づいて説明する。
図１〜図９に示すように、第１実施形態におけるボトルキャップ１は、例えばワインボトル（ボトル）２の口部に着脱自在に装着される固定部材３と、固定部材３に螺着されるキャップ部材４を備えている。
【００２４】
ボトルとしては、ワインボトル２の他、洋酒ボトル、日本酒ボトル、焼酎ボトル、リキュールボトル、清涼飲料ボトル、調味料ボトル等の各種の飲料・調味料等のボトルが挙げられる。
【００２５】
固定部材３は、円筒状部１１と押さえ部１２と雄ネジ部１３を備えている。円筒状部１１は、断面形状がＣ字状に形成されており、ワインボトル２の口部に弾性力により着脱自在に外嵌される。押さえ部１２は、円筒状部１１の下端に下方へ突出するように形成されている。雄ネジ部１３は、円筒状部１１の外周面に形成されている。また、円筒状部１１の内周面には、固定用弾性シート１４が設けられている。円筒状部１１の外周面には、周方向へ互いに間隔を開けて例えば２つの雄ネジ部１３が形成されているが、この場合の雄ネジ部１３の数は３つ以上でもよい。このように、円筒状部１１の外周面に、周方向へ互いに間隔を開けて複数の雄ネジ部１３を形成すれば、円筒状部１１の外周面の全面に渡って雄ネジ部１３を形成しなくてもよいので、固定部材３の構成をよりシンプルにできるという利点がある。
【００２６】
固定部材３の材質としては、プラスチック、金属等が挙げられる。固定用弾性シート１４の材質としては、ゴム、熱可塑性エラストマー、プラスチック発泡体等が挙げられる。
【００２７】
キャップ部材４は、キャップ本体部２１と弾性体２２と雌ネジ部２３を備えている。キャップ本体部２１は、上部が閉塞された円筒状に形成されている。弾性体２２は、円柱状に形成されており、キャップ本体部２１内に収容されている。雌ネジ部２３は、キャップ本体部２１の内周面に形成されており、固定部材３の雄ネジ部１３に螺合される。また、弾性体２２の下面には、当て用弾性シート２４が設けられている。キャップ本体部２１の上部には、平面視形状が例えば六角形状に形成された回転用多角形状部２５が突設されている。
【００２８】
弾性体２２以外のキャップ部材４の材質としては、プラスチック、金属等が挙げられる。弾性体２２の材質としては、プラスチック発泡体、ゴム、熱可塑性エラストマー等が挙げられる。当て用弾性シート２４の材質としては、ゴム、熱可塑性エラストマー、プラスチック発泡体等が挙げられる。回転用多角形状部２５の平面視形状としては、六角形状の他、三角形状、四角形状、五角形状等の多角形状が挙げられる。
【００２９】
ボトルキャップ１の使用に際しては、図７及び図８に示すように、まず、ワインボトル２の口部に、固定部材３の円筒状部１１を弾性力により外嵌することによって着脱自在に装着する。そして、固定部材３の押さえ部１２を介してワインボトル２の口部を握持等しながらキャップ部材４の雌ネジ部２３を固定部材３の雄ネジ部１３に螺合し、図９に示すように、キャップ部材４内の弾性体２２がワインボトル２の口部に圧接されるようにキャップ部材４を締め付ければよい。なお、固定部材３の押さえ部１２は円筒状部１１の下端に下方へ突出するように形成されているので、固定部材３が下方へずれるのを防止するストッパーにもなっているという利点がある。
【００３０】
ここで、本実施形態のように、キャップ部材４の弾性体２２の下面に当て用弾性シート２４を設けておけば、当て用弾性シート２４を介して弾性体２２がワインボトル２の口部に圧接されるので、当て用弾性シート２４を適宜取り替えれば、より衛生的であるという利点がある。また、固定部材３の円筒状部１１の内周面に固定用弾性シート１４を設けておけば、固定用弾性シート１４の弾性力に抗しながらキャップ部材４を締め付けることになるので、キャップ部材４がゆるむのを防止できるという利点がある。更に、キャップ本体部２１の上部に回転用多角形状部２５を突設しておけば、キャップ部材４の回転操作をしやすいという利点がある。
【００３１】
上記のように構成されたボトルキャップ１によれば、キャップ部材４の締め付けによる少なくとも弾性体２２の圧接によってワインボトル２の口部がより強固に密閉されるので、ワインボトル２を横にして保管しても、内容物が漏れないという利点がある。
【００３２】
図１０に示すように、第２実施形態におけるボトルキャップの固定部材３は、第１実施形態において、押さえ部１２の下端に、下方へ向かって外側に湾曲した反り部３１を設けたものである。
【００３３】
このように、固定部材３の押さえ部１２の下端に反り部３１を設けておけば、固定部材３の取り外しの際に反り部３１に指をかけやすいので、固定部材３の取り外しをより簡単に行えるという利点がある。
【００３４】
図１１に示すように、第３実施形態におけるボトルキャップのキャップ部材４は、第１実施形態において、当て用弾性シート２４の下面を、下方へ突出する凸面４１に形成したものである。
【００３５】
このように、当て用弾性シート２４の下面を凸面４１に形成しておけば、ワインボトル２の口部への当て用弾性シート２４の密着度をより高めることができるという利点がある。
【００３６】
なお、第１実施形態においては、キャップ部材４の弾性体２２の下面を、下方へ突出する凸面に形成しておいてもよい。このように、弾性体２２の下面を凸面に形成しておけば、当て用弾性シート２４を設けた場合ではワインボトル２の口部への当て用弾性シート２４の密着度をより高めることができると共に、当て用弾性シート２４を設けない場合でもワインボトル２の口部への弾性体２２の密着度をより高めることができるという利点がある。
【産業上の利用可能性】
【００３７】
以上のように、本発明のボトルキャップは、ボトルを横にして保管しても、内容物が漏れないようにするための手段として有用である。
【符号の説明】
【００３８】
１  ボトルキャップ
２  ワインボトル（ボトル）
３  固定部材
４  キャップ部材
１１  円筒状部
１２  押さえ部
１３  雄ネジ部
１４  固定用弾性シート
２１  キャップ本体部
２２  弾性体
２３  雌ネジ部
２４  当て用弾性シート
２５  回転用多角形状部
３１  反り部
４１  凸面
【図１】
2019119490.tif 000003
【図２】
2019119490.tif 000004
【図３】
2019119490.tif 000005
【図４】
2019119490.tif 000006
【図５】
2019119490.tif 000007
【図６】
2019119490.tif 000008
【図７】
2019119490.tif 000009
【図８】
2019119490.tif 000010
【図９】
2019119490.tif 000011
【図１０】
2019119490.tif 000012
【図１１】
2019119490.tif 000013